(57)【要約】      （修正有）【課題】収蔵されている種子を発芽させるのに従来の種子付き葉書のように一旦水に浸して発芽させた後に土中に埋めるといった手間と時間を要することなく、種子を収蔵したシートを手間をかけることなく直接土中に埋めて手早く簡単に発芽、生育させることができるものを提供する。【解決手段】全体または少なくとも一部が透明である封筒に植物の種子８を収蔵した種子収蔵シート４を収納し、かつ、上記封筒２の適宜箇所に、植物の絵や写真または絵柄を直接印刷して、または植物の絵や写真または絵柄を印刷したシール３を貼り付けてなる。【選択図】図１
0003132320.tif 000002
【実用新案登録請求の範囲】
【請求項１】
全体または少なくとも一部が透明である封筒に植物の種子を収蔵した種子収蔵シートを収納し、かつ、上記封筒の適宜箇所に、植物の絵や写真または絵柄を直接印刷して、または植物の絵や写真または絵柄を印刷したシールを貼り付けて、なることを特徴とする封筒セット。
【請求項２】
種子収蔵シートは、和紙を漉く際に種子を入れて形成した和紙からなるものであることを特徴とする請求項1記載の封筒セット。
【請求項３】
植物の種子は、花 、果物、野菜、草、または樹木の種子であることを特徴とする請求項1または２記載の封筒セット。
【考案の詳細な説明】
【技術分野】
【０００１】
本考案は、植物の種子を容易に発芽させて楽しみながら育てることのできる種子収蔵シートを収納した封筒セットに関するものである。
【背景技術】
【０００２】
従来から販売されている植物の種子を備えた郵便葉書は、郵便葉書として使用後に土に埋めたりすることによって発芽させて栽培できるようにしたものである。この種子付き葉書１１（図５）は、容易に折れ曲がったり型崩れしたりしないように和紙を漉く際に、官製葉書より少し厚く形成し、漉いた和紙と和紙との間に花や果物などの植物の種子１２を挟むようにして入れてある。販売する場合は、この種子付き葉書１１の端寄りに「水にひたして芽がでたら土にうえかえて下さい。」と小さく印刷し、透明の薄い樹脂袋に入れて販売されている。
【０００３】
そしてこの種子付き葉書１１を購入した人は、便りの葉書や暑中見舞いの葉書や年賀葉書等として使用している。
【０００４】
この種子付き葉書１１を使って便りなどを貰った人は、便りを読んだ後に、折角だから種子付き葉書１１に収蔵されている種子１２を栽培して生育するのを楽しもうと思う。その場合、従来の種子付き葉書１１は、官製の郵便葉書に比べて和紙で厚く形成されているため、土に直接埋めても水に溶けにくく、なかなか腐らなかった。  
【０００５】
そこで一旦、水を入れた皿１３等（図６）に種子付き葉書１１を浸して水を含んで腐り易いようにし、種子１２が発芽するまでこの状態にしている。数日経って発芽したら水を含んでふやけた状態の種子付き葉書１１をそのまま土中に埋めている。また、発芽した種子１２が順調に生育するように適当に肥料等を与えて栽培している（図７）。
【考案の開示】
【考案が解決しようとする課題】
【０００６】
しかしながら、従来の種子付き葉書１１（図５）は、厚くて水に溶けにくく、腐りにくいため上記したように一旦水に浸し、葉書自体に水を含ませて腐り易いようにした後に、発芽を待って土に埋める、といった過程を踏まなければならなず、種子１２を早く発芽させて生育させて花等を見たいと思う人にとっては、土に埋めるまでの栽培の最初の段階で上記したように手間と時間がかかり、植物に興味がないとなかなか栽培する気になれないのが現状であった。
【０００７】
本考案は上記したような点に鑑みて開発したものであり、収蔵されている種子を発芽させるのに従来の種子付き葉書のように一旦水に浸して発芽させた後に土中に埋めるといった手間と時間を要することなく、種子を収蔵したシートを手間をかけることなく直接土中に埋めて手早く簡単に発芽、生育させることができるものを提供することをその課題としている。
【課題を解決するための手段】
【０００８】
上記課題を解決するために、本考案の第１の封筒セットは、全体または少なくとも一部が透明である封筒に植物の種子を収蔵した種子収蔵シートを収納し、かつ、上記封筒の適宜箇所に、植物の絵や写真または絵柄を直接印刷して、または植物の絵や写真または絵柄を印刷したシールを貼り付けて、なるものである。
【０００９】
本考案の第２の封筒セットは、第１の封筒セットにおいて、種子収蔵シートは、和紙を漉く際に種子を入れて形成した和紙からなるものである。
【００１０】
本考案の第３の封筒セットは、第１または第２の封筒セットにおいて、植物の種子は、花 、果物、野菜、草、または樹木の種子である。
【考案の効果】
【００１１】
本考案の第１の封筒セットは、封筒内に、少なくとも種子収蔵シートを収納したものであり、この封筒セットを購入したひとは、相手に送る文書を開封した封筒に入れて開口部を封じ、封筒が全体不透明または宛名等を書く個所が不透明でその他は透明な場合は、不透明な所定個所に宛名や差出人の郵便番号、住所、氏名を記入して友人等に郵送すればよい。また、全体或いは一部が透明な封筒の場合は、封筒内に宛名や差出人の郵便番号、住所、氏名を記入した紙を入れて出せばよい。
この封筒を受取ったひとは開封して中の文書と種子収蔵シートを取り出し、文書に記入されている友人等からの便りを読んだ後は、一般の郵便葉書と同じように上記文書を机の引き出し等の中にしまっておけばよい。また、同封されている種子収蔵シートは、薄いので直ぐに水を含んでふやけ易くそのまま土中に直接埋めても問題なく、手間をかけることなく簡単に種子を発芽させて育てることができる。
さらに封筒に直接またはシールを介して種子の生育した際の絵や写真、絵柄等を印刷してあるので、この封書セットによる封筒を受取ったひとはすぐに種子の種類が判り生育するのを楽しみにして栽培することができる。さらに、封筒は全体または少なくとも一部が透明であるので中身がある程度外から判り、安心して開封することができる。なお、封筒に直接またはシールを介して印刷された植物の種類と、種子収蔵シートの種子の種類とが異なる場合も考えられるので、種子収蔵シートに種子の植物の名称を記載しておけばよい。勿論、種子収蔵シートに種子の植物の写真や絵等を印刷しておいてもよい。
【００１２】
本考案の第２の封筒セットでは、種子収蔵シートは和紙を漉く際に種子を入れて形成した和紙からなるものであり、従来の種子付き葉書のように葉書として使用するものではないので薄く形成したものでもよく、水に溶けたり腐食し易く、直接土中に埋めてすばやく栽培することができる。また、従来の種子付き葉書のように厚く形成する必要もないので製造・販売価格を低減させることができる。
【００１３】
本考案の第３の封筒セットにおいては、植物の種子は、花 、果物、野菜、草、または樹木の種子からなるものであるので、楽しみながら種子を生育させることができる。
【考案を実施するための最良の形態】
【００１４】
以下、添付の図面と共に、本考案の最良の実施形態について説明する。
図1は本考案に係る封筒セットの分解斜視図、図２は本考案に係る封筒セットの斜視図、図３は本考案に係る種子収蔵シートを土中に埋めた状態の説明図、図４は土中に埋めた種子収蔵シートの種子から発芽した状態の説明図である。
【００１５】
図１に示すように本考案に係る封筒セット１は、封筒２と、種子収蔵シート４とからなり、上記種子収蔵シート４を封筒２の中に入れた構成から成るものである。
【００１６】
ずなわち、図示の封筒２は、透明な樹脂シートで形成されたものであり、一端部に蓋部６を形成して開閉できるようにしてあり、蓋部６の内面側に着脱可能な粘度を有する接着剤７を塗布してある。この封筒２の場合、全体が透明であるが、紙や樹脂シートで全体を不透明に形成したもの、或いは片面２ａ側全体または一部を透明としその他の部分は不透明にしたもの、または両面２ａ、２ｂの一部を透明にしたものであってもよい。また、封筒１には、その外面または内面に直接またはシール３（二点鎖線で示す）を介して種子の生育した際の絵や写真、絵柄等を印刷してある。
【００１７】
種子収蔵シート４は、植物の種子８と和紙で形成されていて、製紙作業の漉き込み段階で、花 、果物、野菜、草、また樹木等の各種の植物の種子８を収蔵し、乾燥させて形成したものである。この種子収蔵シート４は封筒２に収納できる大きさの四角形状である。
【００１８】
勿論、種子収蔵シート４の形状は四角形状に限らず、丸形や三角形や楕円形等、その他の形状であってもよい。種子収蔵シート４自体は葉書として使用するものではないので、従来の種子付き葉書のように和紙で厚く形成しなくてもよく、従来の種子付き葉書より薄く形成したものであっても何ら問題はない。寧ろ薄い方が水に溶けやすくて腐食しやすく土中に直接埋めて種子８を発芽させるのに好適である。
【００１９】
この種子収蔵シート４においては、種子８は適宜の数の複数個を適当な散らばりをもって全体に設けてある。種子の配列は、図示の例では不規則に種子８を配している配列に所定の規則性を持たせて配してもよいが、。なお、種子収蔵シート４に設ける種子８は１個であってもよい。
【００２０】
上記のような構成からなる封筒セット１においては、この封筒セット１を購入したひとは、相手に送る文書を開封した封筒２に入れ、所定個所に宛名や差出人の郵便番号、住所、氏名を記入し、または、封筒内に宛名や差出人の郵便番号、住所、氏名を記入した紙を入れて蓋部６で開口を封じ、封筒１の表面に切手を貼って通常の郵便物と同様にポストに投函すればよい。
【００２１】
この封筒１を受け取ったひとは、文書に記載されている文面を読んだ後は文書と封筒１を所望場所に保管し、封筒２から取り出しておいた種子収蔵シート４を植木鉢やプランター等の土中に直接水平にして植え込み、必要に応じて水や肥料をやっておけば、手間取ることなく簡単に植え込み栽培することができる。
【００２２】
なお、本考案の封筒セット１において、封筒２が不透明の場合は、封筒２の表面２ａに相手の郵便番号や住所、氏名を書き、裏面２ｂに差出人の住所や氏名等を記載し、表面２ａに切手を貼って投函すればよい。
【図面の簡単な説明】
【００２３】
【図１】本考案に係る封筒セットの分解斜視図である。
【図２】本考案に係る封筒セットの斜視図である。
【図３】本考案に係る種子収蔵シートを土中に埋めた状態の説明図である。
【図４】土中に埋めた種子収蔵シートから発芽した状態の説明図である。
【図５】従来の種子付き葉書の斜視図である。
【図６】従来の種子付き葉書を水に浸けた状態の説明図である。
【図７】従来の種子付き葉書の種子を発芽させ後に土中に埋めた状態の説明図である。
【符号の説明】
【００２４】
１  封筒セット
２  封筒
３  シール
４  種子収蔵シート
８  種子
【図１】
0003132320.tif 000003
【図２】
0003132320.tif 000004
【図３】
0003132320.tif 000005
【図４】
0003132320.tif 000006
【図５】
0003132320.tif 000007
【図６】
0003132320.tif 000008
【図７】
0003132320.tif 000009